(57)【要約】      （修正有）【課題】ベッドが傾斜しても枕がずり落ちる恐れがなく、反転すると枕カバーの二度使用が簡単にできるようにすること。【解決手段】枕カバー１０と保持具Ａからなる枕カバー取り付け装置であり、保持具Ａは垂直板２と水平板３からなるＬ字部材と、横長材６の中央に下垂板７を設け該下垂板が前記Ｌ字部材の垂直板２に密接して上下調節可能に固定される丁字部材で構成されている。枕カバー１０の背面に、横長材６を固定する取付布１２が設けられ、枕カバー１０と保持具Ａでベッド１５の縁部を挟着する。【選択図】図３
2013070984.tif 000002
【特許請求の範囲】
【請求項１】
出し入れ自在に枕を収納した枕カバーと、該枕カバーをベッドの頭部側端部に固定する保持具からなる枕カバー取り付け装置であって、保持具は垂直板と水平板からなるＬ字部材と、横長材の中央に下垂板を一体的に設け該下垂板が前記Ｌ字部材の垂直板に密接して上下調節可能に固定される丁字部材で構成され、枕カバーの背面に、前記丁字部材の横長材片側を止着する取付布と横長材他側を止着する開閉自在の取付布が設けられ、しかしてベッドの端部上面に枕カバーを乗せ、枕カバーを取り付けた保持具をベッドの縁部に沿わせてＬ字部材の水平板をベッド下面に密着させ、前記枕カバーと保持具でベッドを挟着することを特徴とする枕カバー取り付け装置。
【請求項２】
Ｔ字部材における横長材を下垂板と直角状又は面一状に一体形成するか棒状物としたものであることを特徴とする請求項１記載の枕カバー取り付け装置。
【請求項３】
Ｔ字部材の下端に、該Ｔ字部材の横ぶれを防止するためにＬ字部材側に向けたブレ防止片を設けることを特徴とする請求項１又は２記載の枕カバー取り付け装置。
【発明の詳細な説明】
【技術分野】
【０００１】  本発明はベッド上に置かれている枕のずり落ちを防止し、汚れたときに反転して二度使用できる枕カバー取り付け装置に関する。
【背景技術】
【０００２】  病院・介護施設などのベッドは自動で傾斜角度を変えられるようになっているが、枕は固定されているわけではないためベッドが傾くと腰のあたりまでずり落ちてしまうことがあり、患者又は介護人はその都度枕を引き上げるという面倒な手間を要している。ずり落ちないようにするためには枕をベッドに縫い付けるなどして固定すればよいが、交換するときに枕が固定してあるを取りはずすのに時間がかかって不便この上ないものである。長く使っていると枕は当然ながら汚れてくるので同じ枕を使い続けることに抵抗を感じる場合もあり、したがって枕は簡単に取り外し交換ができるようにしておく必要がある。また病院等の施設だけでなく最近は家庭でも傾斜角度の調節ができるベッドが普及しており、ずり落ちだけでなく枕が就寝中に移動をすることにより安眠できなくなるといった不具合も日常経験するところである。
【先行技術文献】
【０００３】  そこでベッドが傾いてもいたずらに移動したりずり落ちしないだけでなく交換も容易にできる枕が期待されるところであり、その解決のための技術もわずかながら存在する（例えば特許文献１参照）。
【特許文献】
【０００４】
【特許文献１】特開平８−８４７５２号公報
【発明の概要】
【発明が解決しようとする課題】
【０００５】  病院などのベッドマット（以下単にベッド）はあらかじめ所定の形どおりに製作されたものであり、患者に負担をかけない構造を有していることは当然であって、枕がずり落ちるからといって後からベッド上に穴を開けるような細工を施すことはできない。また特許文献１にみられるように頭が直接当たるカバー布の表面にサイドベルトのような別体のものを取り付けることはかえって就寝の妨げになるものである。すなわち枕に取り外しが容易な固定手段を設けることは必要でありながら現状のままであり、そのため通常は図５のように傾動自在としたベッド２０には頭部側に枕２１が単に置かれているにすぎず、このためベッド２０が傾いて患者２２の上体が起き上がって枕２１と頭との間に隙間ができると、枕２１は元の位置から落下して腰のあたりに沈んでしまい患者２２は自分の手で引き上げるか、その都度介護人などが手助けしなければならず不便きわまりないものである。また水平に置かれていても就寝中に体が動いて枕が移動し安眠が妨げられるといったこともまれではなく、このような問題点を簡単に解決できる方法を従来技術に求めることは極めて難しいといえる。【０００６】本発明はこのような従来技術の問題点に鑑みてなされたものであり、その目的とするところは、枕の取り付け取り外しが簡単にできることはもちろん、ベッドが傾いても枕がずり落ちる心配がなく、就寝中も枕が正しい位置にあり、しかも反転することで二度使用が可能であり、簡単に洗濯することもできて既存のベッドに広く実施でき、枕のずり落ち防止に頗る好適する枕カバー取り付け装置を提供しようとするものである。
【課題を解決するための手段】
【０００７】  すなわち本発明は、出し入れ自在に枕を収納した枕カバーと、該枕カバーをベッドの頭部側端部に固定する保持具からなる枕カバー取り付け装置であって、保持具は垂直板と水平板からなるＬ字部材と、横長材の中央に下垂板を一体的に設け該下垂板が前記Ｌ字部材の垂直板に密接して上下調節可能に固定される丁字部材で構成され、枕カバーの背面に、前記丁字部材の横長材片側を止着する取付布と横長材他側を止着する開閉自在の取付布が設けられ、しかしてベッドの端部上面に枕カバーを乗せ、枕カバーを取り付けた保持具をベッドの縁部に沿わせてＬ字部材の水平板をベッド下面に密着させ、前記枕カバーと保持具でベッドを挟着することを主旨とする。【０００８】  Ｔ字部材における横長材を下垂板と直角状又は面一状に一体形成するか棒状物としたものであることを特徴としている。【０００９】  Ｔ字部材の下端に、該Ｔ字部材の横ぶれを防止するためにＬ字部材側に向けたブレ防止片を設けることを特徴とする。
【発明の効果】
【００１０】  枕カバー下面がベッドに密着し、Ｌ字部材の水平板がベッドの下面に密着するので枕はベッドに固定され、例えベッドが傾いても枕がすべり落ちることはなく患者や介護人の手を煩わすことはない。また固定されている枕は就寝中左右に位置ずれすることもないため安眠が妨げられる恐れもない。ベッドに枕カバーを取り付ける保持具は、ベッド下面にＬ字部材の水平板を差し込むだけであり、その取り外しも単に引き抜くだけですむので枕カバーの取り付け取り外し作業は誰にでも簡単にできる。そして前記Ｔ字部材はＬ字部材と上下調節ができるためベッドの厚みに応じて保持具が取り付けできる。【００１１】  枕カバーの背面にある左右の取付布にＴ字部材の横長材左右を取り付ける操作はきわめて容易であり、枕カバーを反転しても左右の取付布は位置が逆となるだけであるからＴ字部材の取り付けは全く同じ要領ででき、このため枕カバーの表面が汚れても反転すれば裏面を表面とすることができて二度使用が可能となるのでその分枕カバーを洗濯する手数が省ける。【００１２】  枕カバーは通常のものと同じ素材を利用でき、枕の出し入れが自在となるように例えば側面に開閉口を形成すればよく、そして背面左右に取付布を設けるという単純な構造のため作製に複雑な手間がかからず、また保持具を構成するＬ字部材とＴ字部材は合成樹脂成型によって量産に好適し、その組立作業も容易であるから安価に得られる実益がある。
【図面の簡単な説明】
【００１３】
【図１】保持具を示し（ａ）は斜視図、（ｂ）は背面図である。
【図２】枕を収納した枕カバーを示し（ａ）は斜視図、（ｂ）は保持具を取り付けた背面図、（ｃ）は枕カバーの表裏を反転した背面図である。
【図３】枕カバーを固定したベッドを示し（ａ）は水平状態（ｂ）は傾斜状態の説明図である。
【図４】（ａ）は横長材を下垂板と面一状にしたＴ字部材の斜視図、（ｂ）は横長材を棒状物としたＴ字部材の斜視図である。
【図６】従来例を示す説明図である。
【発明を実施するための形態】
【００１４】  図面を参照して本発明の形態を説明すると、図１はＬ字部材１とＴ字部材５からなる保持具Ａを示したもので、Ｌ字部材１は垂直板２と該垂直板２よりも長めの水平板３からなり、垂直板２には、Ｔ字部材５を上下調節できるように長孔４が穿たれており、また水平板３の先端部はやや上向きに傾斜形成してある。
【００１５】  Ｔ字部材５は横長材６と該横長材６の中央部に直角状に垂設した下垂板７からなり、下垂板７より挿通した締め付けボルト８が前記Ｌ字部材５の垂直板２に形成した長孔４から突出しナット９と螺着してＬ字部材１と固定される。したがって長孔４の範囲内でＴ字部材５はＬ字部材１と上下調節できる。そしてＴ字部材５がＬ字部材１と正しい取り付け状態を維持するようにＴ字部材下端に、Ｌ字部材側に向けたブレ防止片Ｋを形成してＬ字部材１の垂直板２に抱合させるとよい。
【００１６】  Ｌ字部材１とＴ字部材５は弾力性のある合成樹脂材、例えば可撓性と強靭性を有するＡＢＳ樹脂のものを素材とすると折り曲げ加工等の作業がしやすく、また比較的安価に得られるので好ましい。
【００１７】  図２は枕（図を省略）を収納した枕カバー１０を示したもので、（ａ）図のとおり側面に開閉口１１が設けられて枕を出し入れ自在としてあり、背面には前記保持具Ａを取り付けるためのポケット状とした取付布１２と開閉自在の取付布１３を左右に設けてある。保持具ＡはＴ字部材５の横長材６が左側取付布１２と右側取付布１３に介入することで枕カバー１０に固定される。
【００１８】  ポケット状の取付布１２と開閉自在の取付布１３は枕カバー１０の背面にあって中央部を除く左右にほヾ同じ長さで配置され、横長材６の左右が（ｂ）図のように介入するようになっている。すなわち左側に位置するポケット状取付布１２内に先ず横長材６の左側を挿入し、次に図のように前面を開放した取付布１３に横長材６の右側をあてがい、取付布１３を閉ざせば横長材６の右側も固定されるので保持具Ａは不動状となる。取付布１３は、前面側の内側と枕カバー１０側の個所に面ファスナ１３ａを固着しておき、両者の結合で閉じられ、引き剥がすことにより開口されるので開閉操作は容易である。
【００１９】  枕カバー１０は（ｃ）図のように上下を反転して用いることができる。長い時間使用していると当然ながら枕カバー１０の表面は汚れてくるが、この図のように反転させると未使用の裏面を表面とすることができるので都合がよい。この場合は（ｂ）図とは反対に、ポケット状取付布１２が右側に、開閉される取付布１３が左側に位置するので、Ｔ字部材５の横長材６右側を先ず取付布１２に挿入し次に横長材６左側を、開放した取付布１３にあてがいその部分をを閉じることにより横長材６の両側が確固として固定される。
【００２０】  しかして枕カバー１０は保持具Ａを介して図３（ａ）のようにベッド１５の端部上面に取り付けられる。このときベッド１５の縁部１６にはＬ字部材１の垂直板２とＴ字部材５の下垂板７が臨むとともにＬ字部材１の水平板３がベッド１５の下面に密接し特に水平板３の先端部が食い込み状に密接する。このときベッド１５の厚みにフィットするようにあらかじめ締め付けボルト８をゆるめてＴ字部材５を上下調節したのちボルト８を緊締すれば水平板３がベッド１５の下面を圧接するので、ベッド１５の縁部１６を枕カバー１０と保持具Ａが挟着するかたちとなり枕カバー１０は固定される。
【００２１】  枕カバー１０はベッドが傾いても前記のように保持具Ａを介してベッド上に固定された状態を維持するため（ｂ）図のとおりずり落ちる恐れはなく、患者の上体がベッド１５から離れたとしても枕は同じ位置にあり、従来のように落ちた枕を引き上げるといった手間を要しない。また枕は就寝中も同じ位置にあって移動することがないため枕の移動で睡眠が妨げられるようなこともなく安眠が保たれる。
【００２２】  上記したＴ字部材５の横長材６は下垂板７と直角状に形成してあるが、この横長材６は図４（ａ）のように下垂板７と面一状に形成してもよく、この場合は枕カバー１０の背面にある前記したポケット状取付布１２と開閉する取付布１３は直角状の横長材６にフィットするように形成される。また横長材６は（ｂ）図のような棒状物としてもよく、この場合は横長材６の中央下面に下垂板７が食い込み状に固着されるものであり、棒状物は例えば樹脂・アルミ製など素材は問わず、当然ながら枕カバー１０背面の取付布は棒状の横長材６に適合するように形成される。
【００２３】  上記した実施形態では枕カバー１０の背面にポケット状取付布１２と開閉自在の取付布１３を設けるとしてあるが、ポケット状のものに替えて開閉自在のものを左右に設けるようにしても横長材６の取り付けはでき、また枕の出し入れは図示した個所に限定されず、その他本発明の目的効果を奏する範囲における保持具Ａの形状・材質・取り付け方法、ブレ防止片Ｋと同機能を持つ他の形体、その他取り付けを確固とするために例えばマグネット材の使用、その他の構成部材の付加変更なども本発明の実施の範疇に属する。
【符号の説明】
【００２４】  Ａ    保持具          １    Ｌ字部材
２    垂直板          ３    水平板
４    長孔            ５    Ｔ字部材
６    横長材          ７    下垂板
８    締め付けボルト  Ｋ    ブレ防止片
１０  枕カバー        １１  開閉口
１２  取付布          １３  取付布
１５  ベッド          １６  縁部
【図１】
2013070984.tif 000003
【図２】
2013070984.tif 000004
【図３】
2013070984.tif 000005
【図４】
2013070984.tif 000006
【図５】
2013070984.tif 000007
【手続補正書】
【提出日】平成23年12月19日(2011.12.19)
【手続補正１】
【補正対象書類名】明細書
【補正対象項目名】００１３
【補正方法】変更
【補正の内容】
【００１３】
【図１】保持具を示し（ａ）は斜視図、（ｂ）は背面図である。
【図２】枕を収納した枕カバーを示し、（ａ）は斜視図、（ｂ）は保持具を取り付けた背面図、（ｃ）は枕カバーの表裏を反転した背面図である。
【図３】枕カバーを固定したベッドを示し、（ａ）は水平状態（ｂ）は傾斜状態の説明図である。
【図４】（ａ）は横長材を下垂板と面一状にしたＴ字部材の斜視図、（ｂ）は横長材を棒状物としたＴ字部材の斜視図である。
【図５】従来例を示す説明図である。